(57)【要約】【課題】シーケンス順序付けの基準を考慮したより融通性のあるシーケンス割り当てを可能にすること。【解決手段】ルートシーケンス及びその循環シフトのセットを含む特定シーケンスのセットがサーチされ、それは、順序付けされたルートシーケンスのうちのあるルートシーケンスを指示するルートシーケンスインデックスからスタートされ、ルートシーケンスの利用可能な循環シフトが含まれ、そしてそのセットを埋めるために必要に応じて次のルートシーケンスと継続されて、前記順序付けされたルートシーケンスを循環的に解釈する。【選択図】図６
2010541438.tif 000002
【特許請求の範囲】
【請求項１】
ルートシーケンス及びその循環シフトのセットを含む特定シーケンスのセットをサーチするように構成されたサーチユニットを備え、このサーチユニットは、順序付けされたルートシーケンスのうちのあるルートシーケンスを指示するルートシーケンスインデックスからスタートし、前記ルートシーケンスの利用可能な循環シフトを含ませ、そして前記セットを埋めるために必要に応じて次のルートシーケンスと継続して、前記順序付けされたルートシーケンスを循環的に解釈するように構成された、装置。
【請求項２】
前記順序付けされたルートシーケンスは、所定長さ及び数のシーケンスを、各シーケンスのキュービックメトリック、及び各シーケンスがサポートする高移動度セルのサイズに基づいて順序付けすることにより得られる、請求項１に記載の装置。
【請求項３】
前記順序付けされたルートシーケンスは、所定長さ及び数のシーケンスを、所定スレッシュホールドより低い又は高い各シーケンスのキュービックメトリックに基づいて、第１シーケンスを含む第１セット及び第２シーケンスを含む第２セットへ分割し、そしてその第１シーケンスを、各第１シーケンスによりサポートされる高移動度セルのサポートサイズに基づいて順序付けすると共に、第２シーケンスを、各第２シーケンスによりサポートされる高移動度セルのサポートサイズに基づいて相補的に順序付けすることにより、得られる、請求項２に記載の装置。
【請求項４】
各第１シーケンスのキュービックメトリックは、所定スレッシュホールドより低く、各第２シーケンスのキュービックメトリックは、所定スレッシュホールドより高く、前記第１シーケンスは、高移動度セルのサポートサイズの減少に基づいて順序付けされ、そして前記第２シーケンスは、高移動度セルのサポートサイズの増加に基づいて順序付けされ、或いはその逆のことも行われる、請求項３に記載の装置。
【請求項５】
ルートシーケンス及びその循環シフトのセットを含む特定シーケンスのセットをサーチするように構成され、順序付けされたルートシーケンスのうちのあるルートシーケンスを指示するルートシーケンスインデックスからスタートするサーチユニットを備え、
前記順序付けされたルートシーケンスは、所定長さ及び数のシーケンスを、所定スレッシュホールドより低いキュービックメトリックをもつ第１シーケンスを含む第１セット、及び所定スレッシュホールドより高いキュービックメトリックをもつ第２シーケンスを含む第２セットへと分割し、その第２シーケンスを、各第２シーケンスによりサポートされる高移動度セルのサポートサイズに基づいてサブセットへと分割し、そして各サブセット内の第２シーケンスを、各第２シーケンスのキュービックメトリックに基づいて順序付けすることにより得られる、装置。
【請求項６】
前記第１シーケンスは、各第１シーケンスによりサポートされる高移動度セルのサポートサイズに基づいて順序付けされる、請求項５に記載の装置。
【請求項７】
前記第１シーケンスは、各第１シーケンスによりサポートされる高移動度セルのサポートサイズに基づいてサブセットへと分割され、そして各サブセット内の第１シーケンスの順序付けが、各第１シーケンスのキュービックメトリックに基づいて行われる、請求項５に記載の装置。
【請求項８】
ルートシーケンス及びその循環シフトのセットを含む特定シーケンスのセットをサーチするステップを備え、このサーチステップは、
順序付けされたルートシーケンスのうちのあるルートシーケンスを指示するルートシーケンスインデックスからスタートする段階、
前記ルートシーケンスの利用可能な循環シフトを含ませる段階、及び
前記セットを埋めるために必要に応じて次のルートシーケンスと継続して、前記順序付けされたルートシーケンスを循環的に解釈する段階、
を含む方法。
【請求項９】
前記順序付けされたルートシーケンスは、所定長さ及び数のシーケンスを、各シーケンスのキュービックメトリック、及び各シーケンスがサポートする高移動度セルのサイズに基づいて順序付けすることにより得られる、請求項８に記載の方法。
【請求項１０】
前記順序付けされたルートシーケンスは、所定長さ及び数のシーケンスを、所定スレッシュホールドより低い又は高い各シーケンスのキュービックメトリックに基づいて、第１シーケンスを含む第１セット及び第２シーケンスを含む第２セットへ分割し、そしてその第１シーケンスを、各第１シーケンスによりサポートされる高移動度セルのサポートサイズに基づいて順序付けすると共に、第２シーケンスを、各第２シーケンスによりサポートされる高移動度セルのサポートサイズに基づいて相補的に順序付けすることにより、得られる、請求項９に記載の方法。
【請求項１１】
各第１シーケンスのキュービックメトリックは、所定スレッシュホールドより低く、各第２シーケンスのキュービックメトリックは、所定スレッシュホールドより高く、前記第１シーケンスは、高移動度セルのサポートサイズの減少に基づいて順序付けされ、そして前記第２シーケンスは、高移動度セルのサポートサイズの増加に基づいて順序付けされ、或いはその逆のことも行われる、請求項１０に記載の方法。
【請求項１２】
ルートシーケンス及びその循環シフトのセットを含む特定シーケンスのセットをサーチするステップであって、順序付けされたルートシーケンスのうちのあるルートシーケンスを指示するルートシーケンスインデックスからスタートするサーチステップを備え、
前記順序付けされたルートシーケンスは、所定長さ及び数のシーケンスを、所定スレッシュホールドより低いキュービックメトリックをもつ第１シーケンスを含む第１セット、及び所定スレッシュホールドより高いキュービックメトリックをもつ第２シーケンスを含む第２セットへと分割し、その第２シーケンスを、各第２シーケンスによりサポートされる高移動度セルのサポートサイズに基づいてサブセットへと分割し、そして各サブセット内の第２シーケンスを、各第２シーケンスのキュービックメトリックに基づいて順序付けすることにより得られる、方法。
【請求項１３】
前記第１シーケンスは、各第１シーケンスによりサポートされる高移動度セルのサポートサイズに基づいて順序付けされる、請求項１２に記載の方法。
【請求項１４】
前記第１シーケンスは、各第１シーケンスによりサポートされる高移動度セルのサポートサイズに基づいてサブセットへと分割され、そして各サブセット内の第１シーケンスの順序付けが、各第１シーケンスのキュービックメトリックに基づいて行われる、請求項１２に記載の方法。
【請求項１５】
処理装置のためのプログラムを含むコンピュータプログラム製品であって、プログラムが処理装置で実行されるときに請求項８から１４のいずれかに記載のステップを遂行するためのソフトウェアコード部分を備えたコンピュータプログラム製品。
【請求項１６】
前記コンピュータプログラム製品は、前記ソフトウェアコード部分が記憶されたコンピュータ読み取り可能な媒体を備えた、請求項１５に記載のコンピュータプログラム製品。
【請求項１７】
前記プログラムは、前記処理装置の内部メモリへ直接ロードできる、請求項１５に記載のコンピュータプログラム製品。
【発明の詳細な説明】
【技術分野】
【０００１】
本発明は、移動通信システムにおけるアクセス手順のためのプリアンブルシーケンスの割り当てに係る。より詳細には、本発明は、Ｅ−ＵＴＲＡＮ（進化型ＵＭＴＳ(ユニバーサルモバイルテレコミュニケーションシステム)地上無線アクセスネットワーク）におけるランダムアクセスのためのプリアンブルシーケンスの割り当てに係る。
【背景技術】
【０００２】
Ｅ−ＵＴＲＡＮのランダムアクセス手順は、ＷＣＤＭＡ（ワイドバンドコード分割多重アクセス）のそれに類似している。両システムにおいて、第１ステップでは、ユーザ装置（ＵＥ）がアクセススロットでプリアンブルを送信する。プリアンブル送信に対してＵＥが選択するために多数の異なるプリアンブルシーケンスが定義されている。Ｅ−ＵＴＲＡＮの場合、いわゆるＺａｄｏｆｆ−Ｃｈｕシーケンスが選択される。シーケンスの長さは８３９ピクセルであり、これは、８３８個のルートシーケンスが利用できることを意味する。遅延の不確実性を定義するセル範囲に基づいて、６４までの循環シフトシーケンスがルートシーケンスから得られる。
【０００３】
Ｅ−ＵＴＲＡＮ  ＦＤＤ（周波数分割デュープレックス）システムでは、６４個のプリアンブルシーケンスが各セルに割り当てられる。システム情報を最小にするために、セルのＵＥに対してブロードキャストされるのは、ルートシーケンスインデックスｕ０、循環シフト増分Ｎｃｓ及び移動度パラメータだけである。ＵＥは、シーケンスｕ０の利用可能な循環シフトを決定し、そして６４個のシーケンスが収集されるまで連続ルートシーケンスから継続することにより、６４シーケンスの完全なセットを形成する。
【０００４】
この選択されたシーケンス割り当てシステムは、ルートシーケンスの順序を定義することが要求されることを意味する。順序は、２つの問題を考慮して決定されねばならない。
【０００５】
第１の問題は、シーケンスのキュービックメトリック（ＣＭ）がルートシーケンスインデックスに基づいて変化することである。ＣＭが重要であるのは、ＵＥの典型的な非直線的送信器を仮定したときにあるレベルの隣接チャンネル干渉に到達するのに必要な電力バックオフを定義するからである。ＣＭが高いときには、ＵＥは、ＣＭが低い場合と同様の高い平均電力で送信することができない。これは、カバレージ（即ち、サポート可能なセル半径）がルートシーケンスに基づいて変化することを意味する。従って、ルートシーケンスをＣＭに基づいて順序付けし、（同じセルに割り当てられた）連続ルートシーケンスがほぼ同じセルサイズをサポートするようにするのが好ましい。
【０００６】
考慮すべき第２の問題は、いわゆるシーケンス制限スキムが、ルートシーケンス、又はその循環シフトの少なくとも幾つかの利用を完全に拒絶し得ることである。制限スキムが必要とされるのは、大きな周波数オフセットの場合にＺａｄｏｆｆ−Ｃｈｕシーケンスの特殊な特性のためであり、このスキムは、ＵＥを高い速度で移動できる場合にセルに適用される。以下、このようなセルは、高移動度セルと称され、制限が適用されない他のセルは、低移動度セルと称される。システム情報の移動度パラメータは、制限が使用されるかどうか指示する。制限は、各ルートシーケンスに対するサポート可能な最大セルサイズを定義する。高移動度セルのサポート可能な最大サイズに基づいてシーケンスが順序付けされる場合には、高及び低移動度の両セルの存在中にシーケンスの再使用を最適化することができ、あるサイズの高移動度セルに利用できないルートシーケンスは、低移動度セルに対して有効に割り当てできる連続シーケンスのセットを形成する。
【発明の概要】
【発明が解決しようとする課題】
【０００７】
ＣＭによる順序付けシステム及び高移動度セルの最大サイズによる順序付けシステムの２つは、相反するものであり、ほぼ等しいＣＭをもつシーケンスは、全く異なるサイズの高移動度セルをサポートする。
【課題を解決するための手段】
【０００８】
本発明の目的は、シーケンス順序付けの両基準を考慮したより融通性のあるシーケンス割り当てを可能にすることである。
【０００９】
本発明によれば、これは、特許請求の範囲に述べられた装置及び方法によって達成される。又、本発明は、コンピュータプログラム製品として具現化することもできる。
【００１０】
本発明の実施形態によれば、循環的なシーケンス割り当てが提案される。これは、シーケンス順序付け及び割り当てスキムに基づいて、より大きな再使用ファクタ、即ちネットワークに割り当てるためのプリアンブルの付加的セットを導くことのできる、より融通性のあるシーケンス割り当てを可能にする。
【００１１】
更に、ＵＥが８３８まで連続するシーケンスを必要とするエラーケースが排除されるので、ＵＥの具現化が簡単にされる。
【００１２】
本発明の別の実施形態によれば、（１）ＣＭに基づいてシーケンスを２つのグループに分割するステップと、（２）両グループにおけるシーケンスを高移動度セルのサポートされるサイズに基づいてセグメント化するか、又は高ＣＭのグループだけを高移動度セルのサポートされるサイズに基づいてセグメント化するステップと、（３）セグメントにおけるシーケンスをＣＭに基づいて順序付けするステップと、を備えたルートシーケンス順序付けスキムが提案される。この順序付けスキムは、等しく且つ最大の無線カバレージを与える低ＣＭシーケンスを、シーケンスの連続セットにわたって割り当てできるので、簡単且つ有効な割り当てを行えるようにする。他方、高ＣＭシーケンスの割り当ては、シーケンスの無線カバレージの差を考慮して行うことができる。
【００１３】
以下に述べる本発明の目的として、次のことに注意されたい。
−  装置は、例えば、ユーザが通信ネットワークにアクセスできるようにする装置であり、これは、それらの基礎となる技術的構成に関わらず、移動及び非移動装置及びネットワークを意味し、又、単に一例として注意すべきことであるが、第３世代パートナーシッププロジェクト３ＧＰＰにより規格化された原理に基づいて動作され且つ例えばＵＭＴＳターミナルとして知られたターミナルは、本発明に関連して使用するのに特に適したものであり、
−  装置は、本発明に関して、クライアントエンティティとして又はサーバーエンティティとして動作することができ、或いは両方の機能を一体化して有することもでき、
−  おそらくソフトウェアコード部分として具現化され且つサーバー／クライアントエンティティの１つにおいてプロセッサを使用して実行される方法ステップは、ソフトウェアコード独立であり、そして既知の又は将来開発されるプログラミング言語を使用して指定することができ、
−  おそらくサーバー／クライアントエンティティの１つにおいてハードウェアコンポーネントとして具現化される方法ステップ及び／又は装置は、ハードウェア独立であり、そして既知の又は将来開発されるハードウェア技術或いはそれらの混成体、例えば、ＭＯＳ、ＣＭＯＳ、ＢｉＣＭＯＳ、ＥＣＬ、ＴＴＬ、等を使用して、又、例えば、ＡＳＩＣコンポーネント又はＤＳＰコンポーネントを使用して具現化することができ、
−  一般的に、方法ステップは、本発明のアイデアを変更せずに、ソフトウェアとして又はハードウェアにより具現化するのに適しており、
−  装置は、個々の装置として具現化できるが、これは、装置の機能が保存される限り、システム全体を通して分散形態で具現化されることを除外するものではない。
【図面の簡単な説明】
【００１４】
【図１】ルートシーケンスの第１の順序付けスキムに基づくシーケンスのセグメント化を示す図である。
【図２】ルートシーケンスの第２の順序付けスキムに基づくシーケンスのセグメント化を示す図である。
【図３】ルートシーケンスの第３の順序付けスキムに基づくシーケンスのセグメント化を示す図である。
【図４】ルートシーケンスの第３の順序付けスキムにおけるシーケンスのＣＭを示す図である。
【図５】本発明の実施形態によるルートシーケンスの順序付けスキムに基づくシーケンスのセグメント化を示す図である。
【図６】本発明の実施形態による装置の構造を示す概略ブロック図である。
【図７】本発明の実施形態による順序付けスキムにおけるシーケンスのＣＭを示す図である。
【発明を実施するための形態】
【００１５】
図１に示す第１の順序付けスキムにおいて、シーケンスは、第１に、増加するＣＭに基づいて順序付けされる。次いで、シーケンスは、所定のスレッシュホールド、例えば、ＱＰＳＫ（直角位相シフトキーイング）変調のＣＭより低いか又はそれより高いＣＭをもつ２つのセットに分割される。ＱＰＳＫのＣＭは、ユーザデータ送信のためにＥ−ＵＴＲＡＮに使用される最低順序変調であるから、適切な比較点である。
【００１６】
最終的に、低ＣＭセットにおけるシーケンスは、高移動度セルの減少するサポートサイズに基づいて順序付けされ、一方、高ＣＭセットにおけるシーケンスは、高移動度セルの増加するサポートサイズに基づいて順序付けされる。図１は、第１の順序付けスキムが採用されたときに、サポートされる最大循環シフト増分Ｎｃｓをシーケンスインデックスの関数として示している。最大Ｎｃｓは、最大セルサイズに比例する。一例として、Ｎｃｓは、１５個の値、１３、２６、３８、５２、６４、７６、８３、１０４、１１９、１３９、１６７、２０９、２７９、４１９、８３９へと量子化されている。最大Ｎｃｓ＝０であるシーケンスインデックスは、低移動度セルにしか割り当てできない。破線は、シーケンスを低及び高ＣＭセットへ分割するＣＭ境界である。
【００１７】
第１の順序付けスキムの変形では、図２に示すような順序付けが得られる。図２に示すような第２の順序付けスキムを得るために、高及び低のＣＭセットが上述したように形成されるが、低ＣＭセットは、高移動度セルの増加するサポートサイズに基づいて順序付けされ、そして高ＣＭセットは、高移動度セルの減少するサポートサイズに基づいて順序付けされる。
【００１８】
図２は、第２の順序付けスキムでシーケンスが順序付けされるときに、最大循環シフト増分Ｎｃｓをルートシーケンスインデックスの関数として示している。最大Ｎｃｓは、セルサイズに比例する。考えられるＮｃｓ値は、１５個の値に量子化されている。最大Ｎｃｓ＝０であるシーケンスインデックスは、低移動度セルにしか割り当てできない。破線は、シーケンスを低及び高ＣＭセットへ分割するＣＭ境界である。
【００１９】
低及び高の両移動度セルにシーケンス割り当てが必要とされるケースでは、一方のセルのシーケンスがＣＭ境界を横切って得られない場合だけ、図１及び２のスキムが同等となる。しかしながら、ＣＭ境界を越えるシーケンス割り当てが望まれるのは、それが融通性をもたらし且つあるケースでは６４個のシーケンスの付加的なセットを許すからである。
【００２０】
ＣＭ境界を越える融通性のある割り当てを考慮する場合には、図１及び２のスキムが異なるものになる。図１のスキムでは、ＣＭ境界を越える割り当ては、低移動度セルのみについて柔軟に行うことができ、一方、図２のスキムでは、ＣＭ境界を越える融通性のある割り当ては、大きな高移動度セルをサポートするシーケンスについてのみ考えられる。
【００２１】
図３に示す第３の順序付けスキムによれば、シーケンスが、第１に、高移動度セルのサポートサイズに基づいてセグメント化される。例えば、考えられるＮｃｓ値が図１のスキムにおいて仮定される場合には、第１のセットは、Ｎｃｓ＝１２又はそれより小さいものに対応するセルサイズをサポートするシーケンスを含むことができる。第２のセットは、Ｎｃｓ＝２５までで、それより大きくないセルサイズをサポートするシーケンスを含み、等々となる。各特定のＮｃｓ値に対応するセグメントは、単なる例に過ぎない。例えば、図３において、最大Ｎｃｓが２０９又は２７９であるシーケンスは、１つのセットを形成する。次いで、各セットのシーケンスがＣＭに基づいて順序付けされる。好ましい仕方は、ＣＭが減少する１つおきのセット及びＣＭが増加する１つおきのセットを順序付けすることである。これは、図４に示すＣＭ構成を導く。
【００２２】
第１の実施形態
第１の実施形態により、シーケンス割り当てが循環的に行われる。Ｅ−ＵＴＲＡＮシステムにより、ＵＥは、ブロードキャストされたシーケンスｕ０からスタートしそして必要に応じて連続シーケンスを使用することにより６４個のシーケンスのセットを形成する。シーケンス番号１は、シーケンス番号８３８に連続すると考えられる。
【００２３】
第１の実施形態は、図５を参照することにより説明する。図１に示された第１の順序付けスキムが採用される。高移動度セルと低移動度セルとの間のシーケンスの望ましい分割は、例えば、矢頭付きの線で示すように行うことができ、破線は、高移動度セルに割り当てるために予約されるシーケンスをマークし、一方、点線でマークされたシーケンスは、低移動度セルに対して予約される。これらの予約されたシーケンスのセットがどれほど大きくなければならないかは、低移動度セルに対する高移動度セルの数及びセルのサイズに依存する。又、Ｎｃｓが１６７より低いと仮定する。循環的割り当てがないと、高移動度セルに対して予約されたシーケンスが２つの切断されたセットを形成し、そして１つの高移動度セルに対して割り当てられたルートシーケンスが、低ＣＭグループ又は高ＣＭグループのいずれかから収集される。循環的割り当ては、高移動度セルに対して予約された全てのシーケンスを接合すると定義し、例えば、ｕ０＝８３８は、高移動度セルに割り当てることができる。というのは、６４個のシーケンスが、ルートシーケンス８３８、１、２、・・・から収集されるからである。循環的割り当てがないと、シーケンス番号８３８、及びＮｃｓによっては、大きなインデックスをもつ他の幾つかのシーケンスは、ｕ０に対してそうではない。要するに、第１の実施形態によれば、破線でマークされた２つのシーケンスセットは、ＣＭ境界を越える割り当ての場合に、循環的割り当てに基づいて接合される。
【００２４】
又、循環的割り当ては、図２のシーケンス順序付けスキムが使用される場合にも有用である。というのは、ｕ０値８３８及びそれに近い値は、６４個のシーケンスを単一の又は若干のルートシーケンスから収集できる非常に小さなセルを除いて考えられないからである。
【００２５】
従って、第１の実施形態では、ＣＭ境界を横切るシーケンスの割り当ては、大きな高移動度セルをサポートするシーケンス、及び低移動度セルにしか使用できないシーケンスの両方について可能である。
【００２６】
第１の実施形態は、ルートシーケンス番号８３８及び１を同じセルに割り当てできるようにすることによりシーケンス割り当てを簡単化する。この融通性は、あるケースでは、図１及び２に示された第１又は第２の順序付けスキムと同様にシーケンスが順序付けされる場合に、６４個のシーケンスの付加的なセットを導くことができる。
【００２７】
第１の実施形態は、ＵＥ又はベースステーションの具現化を何ら複雑にしない。第１の実施形態は、シーケンス番号８３８の全ての循環シフトを含んだ後にＵＥが６４個のシーケンスをもたないエラーケースを排除するので、実際上、ＵＥの具現化を簡単化する。
【００２８】
図６は、ネットワーク制御装置１０と、ベースステーションとして働く装置２０と、第１の実施形態に基づきユーザ装置として働く装置３０とを示す概略ブロック図である。
【００２９】
装置１０、２０、３０の各々は、順序付けされたシーケンスのルートシーケンスを指示するルートシーケンスインデックスｕ０、ルートシーケンスの循環シフト増分Ｎｃｓ及び順序付けされたシーケンスからの移動度パラメータ「移動度(Mobility)」に基づいて特定のシーケンスをサーチするサーチユニット１２、２２、３２を備えている。
【００３０】
順序付けされたシーケンスは、装置１０、２０、３０の各々に設けられる順序付けユニット１１、２１、３１により発生される。順序付けユニット１１、２１、３１は、装置１０、２０、３０の各ブートアップの後に、順序付けされたシーケンスを発生する。或いは又、順序付けユニットは、シーケンスの順序を一度だけロードすればよいか又は考えられるソフトウェア更新中にロードすればよい永久メモリ（記憶ユニット）１４、２４、３４に置き換えることができる。
【００３１】
第１の実施形態によれば、順序付けされたシーケンスは、所定長さ及び数のシーケンスを、所定スレッシュホールドより低い又は高い各シーケンスのキュービックメトリックに基づいて、第１シーケンスを含む第１セット及び第２シーケンスを含む第２セットへ分割し、そしてその第１シーケンスを、各第１シーケンスによりサポートされる高移動度セルのサポートサイズに基づいて順序付けすると共に、第２シーケンスを、各第２シーケンスによりサポートされる高移動度セルのサポートサイズに基づいて相補的に順序付けすることにより、得られる。
【００３２】
各第１シーケンスのキュービックメトリックは、所定スレッシュホールドより低くてもよく、そして各第２シーケンスのキュービックメトリックは、所定スレッシュホールドより高くてもよい。順序付けユニット１１は、図１に示すように、第１シーケンスを高移動度セルのサポートサイズの減少に基づいて順序付けすると共に、第２シーケンスを高移動度セルのサポートサイズの増加に基づいて順序付けするか、或いは図２に示すように、その逆に順序付けすることができる。
【００３３】
サーチユニット１２、２２、３２によりサーチされる特定のシーケンスは、ルートシーケンス及びその循環シフトのセットで構成される。サーチユニット１２、２２、３２は、必要に応じて連続するルートシーケンスを含めて、ルートシーケンスの順序、即ちルートシーケンス順序を循環と解釈するルートシーケンスインデックスｕ０により指示されたシーケンスから、適当なルートシーケンスのサーチをスタートする。
【００３４】
装置１０は、更に、通信ネットワーク内のセルの所要サポートサイズ及び所要キュービックメトリックに基づいて、ルートシーケンスインデックス、循環シフト増分及び移動度パラメータを決定する割り当てユニット１３を備えている。移動度パラメータは、バイナリーパラメータであり、移動度＝０は、低移動度セルを意味し、そして移動度＝１は、高移動度セルを意味する。
【００３５】
装置１０、２０、３０間の情報の送信は、ルートシーケンスの指示（ルートシーケンスインデックス）ｕ０、循環シフト増分Ｎｃｓ、及び移動度パラメータのみが装置１０から装置２０へそして更に装置３０へ送信される場合に最小となる。装置２０と３０との間の接続は、エアインターフェイスであり、そして装置２０は、ｕ０、Ｎｃｓ及び移動度パラメータをシステム情報の一部分として送信する送信器２３を備えている。装置３０の受信器３３は、ｕ０、Ｎｃｓ及び移動度パラメータを受信する。
【００３６】
図６に示す装置は、例えば、ネットワーク制御装置、ベースステーション、及びユーザ装置として働くための更に別の機能を有してもよいことに注意されたい。ここで、本発明の原理を理解するために当該装置の機能は、図６に示すように、機能的ブロックを使用して説明する。装置の機能的ブロックの配列は、本発明を限定するものではなく、それらの機能は、１つのブロックにより遂行されてもよいし、又はサブブロックへと更に分割されてもよい。
【００３７】
第２の実施形態
第２の実施形態は、第１及び第３の順序付けスキム、又は第２及び第３の順序付けスキムを結合するシーケンス順序付けスキムを提案する。先ず、低及び高のＣＭセットが図１又は２に示すように形成される。第３の順序付けスキムは、低及び高のＣＭセットに別々に適用され、又は少なくとも高ＣＭセットに適用され、即ち、サブセットは、サポートされるセルサイズに基づいて形成され、そして各サブセット内のシーケンスは、ＣＭに基づいて順序付けされる。それにより生じるＣＭ構成は、第１及び第３の順序付けスキムが結合され且つサブセットが低及び高の両ＣＭセットに対して形成されるケースについて図７に示されている。
【００３８】
第２の実施形態は、第１及び第３の順序付けスキムの利益を結合する。ＣＭは、隣接チャンネルに充分に低い干渉レベルを維持するためにＵＥが適用すべき電力バックオフを定義し、即ち、ＣＭが大きい場合には、ＵＥは、その平均送信電力を低下しなければならない。他方、ＣＭが低い場合には、ＵＥは、隣接チャンネル干渉の限界を越えずに高い平均電力で送信することができる。しかしながら、ＵＥは、ＱＰＳＫ信号を送信するときにＵＥがサポートすべき２４ｄＢｍ最大平均電力を越えることができない。換言すれば、シーケンスのＣＭがＱＰＳＫのＣＭより低い場合でも、ＵＥは、２４ｄＢｍより大きい電力でそれを送信することができない。ＣＭがＱＰＳＫのＣＭより小さいシーケンスは、第１の順序付けスキムで行われたようにセルサイズ基準に基づいて自由に順序付けすることができる。というのは、これらシーケンスは、全て、同じ最大電力で送信できるからである。しかしながら、第１の順序付けスキムでは、ＣＭがＱＰＳＫのＣＭより大きいシーケンスは、セルサイズ基準のみに基づいて順序付けされる。ＣＭの差は、このグループでは、完全に利用できない。というのは、連続するシーケンスがかなり異なるＣＭ値を有するからである。第３の順序付けスキムを使用してこのグループが順序付けされる場合には、サブセット内の連続シーケンスは、ほぼ同じＣＭを有し、即ちほぼ同じ最大平均電力で送信することができる（同じ電力バックオフが必要とされる）。第３の順序付けスキムの欠点は、サブセットが低ＣＭのシーケンスをシーケンス割り当てに最適でないばらばらのセットに分割することである。低ＣＭシーケンスを別々に処理することでこの欠点の影響が最小にされる。上述したように、第３の順序付けスキムが低ＣＭセットに適用された場合でもカバレージ利得を得ることはできない。しかしながら、ＵＥのバッテリ電力節約に対する非常に僅かな可能性が、低ＣＭセットを第３の順序付けスキムで順序付けすることを正当化する。ＣＭがＱＰＳＫのＣＭより低い場合には、ＵＥは、少なくとも原理的には、その電力増幅器を、より非直線的に同調することができ、これは、バッテリ電力の節約を意味する。
【００３９】
図６を参照すれば、装置１０、２０、３０の順序付けユニット１１、２１、３１は、所定長さ及び数のシーケンスを、所定スレッシュホールドより低い又は高い各シーケンスのキュービックメトリックに基づいて、第１シーケンスを含む第１セット及び第２シーケンスを含む第２セットへ分割し、その第１シーケンスを、各第１シーケンスによりサポートされる高移動度セルのサポートサイズに基づいて順序付けし、第２シーケンスを、各第２シーケンスによりサポートされる高移動度セルのサポートサイズに基づいてサブセットへ分割すると共に、各サブセット内の第２シーケンスを各第２シーケンスのキュービックメトリックに基づいて順序付けし、これにより、順序付けされたシーケンスを得る。又、別のスキムでは、第１シーケンスは、各第１シーケンスによりサポートされる高移動度セルのサポートサイズに基づいてサブセットへと分割され、そしてサブセット内のシーケンスは、ＣＭに基づいて順序付けされる。
【００４０】
各第１シーケンスのキュービックメトリックは、所定スレッシュホールドより低くてもよく、そして各第２シーケンスのキュービックメトリックは、所定スレッシュホールドより高くてもよい。順序付けユニット１１、２１、３１は、第１シーケンスを、高移動度セルのサポートサイズの減少に基づいて順序付けすることができる。
【００４１】
サーチユニット１２、２２及び３２は、このように順序付けされたシーケンスをサーチする。順序付けユニット１１、２１、３１は、装置１０、２０、３０の各ブートアップ後に、順序付けされたシーケンスを発生することができる。或いは又、順序付けユニットは、シーケンスの順序を一度だけロードすればよいか又は考えられるソフトウェア更新中にロードすればよい永久メモリ（記憶ユニット）１４、２４、３４に置き換えることができる。
【００４２】
サーチユニット１２、２２、３２によりサーチされる特定のシーケンスは、ルートシーケンス及びその循環シフトのセットで構成される。サーチユニット１２、２２、３２は、必要に応じて連続するルートシーケンスを含めて、ルートシーケンスインデックスｕ０により指示されたシーケンスから、適当なルートシーケンスのサーチをスタートする。
【００４３】
第２の実施形態は、第１から第３の順序付けスキムに比して、装置１０、２０、３０の複雑さを増加しない。シーケンスがセルサイズ基準に基づいて順序付けされる場合には、具現化は、シーケンス順序をＵＥの永久メモリに記憶することである。従って、全ての順序付けスキムは、等しい複雑さである。
【００４４】
ＣＭは、電力バックオフの必要性を定量化する特性の一例に過ぎないことを理解されたい。本発明は、電力バックオフ値をルートシーケンスに関連付けるのに、ＣＭに代わってピーク対平均電力比のような他の尺度を使用する場合にも適用できる。
【００４５】
以上の説明は、本発明を例示するもので、本発明をそれに限定するものではないことを理解されたい。当業者であれば、特許請求の範囲に規定された本発明の真の精神及び範囲から逸脱せずに種々の変更や応用がなされるであろう。
【符号の説明】
【００４６】
１０：ネットワーク制御装置
１１、２１、３１：順序付けユニット
１２、２２、３２：サーチユニット
１３：割り当てユニット
１４、２４、３４：永久メモリ
２０：ベースステーションとして働く装置
２３：送信器
３０：ユーザ装置として働く装置
３３：受信器
【図１】
2010541438.tif 000003
【図２】
2010541438.tif 000004
【図３】
2010541438.tif 000005
【図４】
2010541438.tif 000006
【図５】
2010541438.tif 000007
【図６】
2010541438.tif 000008
【図７】
2010541438.tif 000009
【国際調査報告】
2010541438.tif 000010
2010541438.tif 000011
2010541438.tif 000012
2010541438.tif 000013
2010541438.tif 000014